(57)【要約】【課題】バッテリケースを小型化および軽量化するとともに、バッテリケースを簡単に着脱することができる背負い式電源システムを提供する。【解決手段】背負い式電源システム１であって、バッテリを内蔵したバッテリケース１０と、バッテリケース１０を着脱自在な搬送用具５０と、を備えている。搬送用具５０は、背当てプレート５１と、背当てプレート５１に連結された肩ベルト５２と、背当てプレート５１に連結されたカバー部材６０と、を備えている。カバー部材６０は、バッテリケース１０の上部を覆う上部カバー６１と、バッテリケース１０の下部を覆う下部カバー６２と、を備えている。上部カバー６１および下部カバー６２は、弾性体によって形成され、上部カバー６１および下部カバー６２は、上下方向に間隔を空けて配置されている。【選択図】図１
2018063789.tif 000002
【特許請求の範囲】
【請求項１】
バッテリを内蔵したバッテリケースと、
前記バッテリケースを着脱自在な搬送用具と、を備え、
前記搬送用具は、
背当てプレートと、
前記背当てプレートに連結された肩ベルトと、
前記背当てプレートに連結されたカバー部材と、を備え、
前記カバー部材は、
前記バッテリケースの上部を覆う上部カバーと、
前記バッテリケースの下部を覆う下部カバーと、を備え、
前記上部カバーおよび前記下部カバーは、弾性体によって形成され、
前記上部カバーおよび前記下部カバーは、上下方向に間隔を空けて配置されていることを特徴とする背負い式電源システム。
【請求項２】
請求項１に記載の背負い式電源システムであって、
前記背当てプレートには、落下防止用ベルトが設けられており、
前記落下防止用ベルトは、前記バッテリケースの上部に着脱自在に取り付けられていることを特徴とする背負い式電源システム。
【請求項３】
請求項２に記載の背負い式電源システムであって、
前記落下防止用ベルトは、前記上部カバーに覆われていることを特徴とする背負い式電源システム。
【請求項４】
請求項１から請求項３のいずれか一項に記載の背負い式電源システムであって、
前記上部カバーに設けられた上部ベルトと、前記下部カバーに設けられた下部ベルトとが着脱自在に連結されており、
前記バッテリケースの外面には、前記上部ベルトおよび前記下部ベルトが入り込む溝部が形成されていることを特徴とする背負い式電源システム。
【発明の詳細な説明】
【技術分野】
【０００１】
本発明は、背負い式電源システムに関する。
【背景技術】
【０００２】
電動式のブロワや刈込機などの作業機では、バッテリの容量を大きくして、駆動時間を長くすることが望まれている。そこで、大容量のバッテリを有する背負い式電源システムが存在している。この背負い式電源システムを作業者が背負って持ち運ぶことで、作業機の駆動時間を長くすることができる。
前記した背負い式電源システムとしては、バッテリが内蔵されたバッテリケースと、肩ベルトを有する搬送用具と、を備え、バッテリケースが複数のねじによって搬送用具に取り付けられているものがある（例えば、特許文献１参照）。
【先行技術文献】
【特許文献】
【０００３】
【特許文献１】特開２０１４−２９６６０号公報
【発明の概要】
【発明が解決しようとする課題】
【０００４】
前記した背負い式電源システムでは、移動時や作業時に地面に落下したときの衝撃からバッテリを保護するために、バッテリケース内に空洞を形成したり、バッテリケースの壁部の厚さを大きくしたりしている。したがって、従来の背負い式電源システムでは、バッテリケースが大きく、また重くなるという問題がある。
これに対して、作業性の観点から、バッテリケースを小型化および軽量化することが求められている。このように、背負い式電源システムの耐衝撃性能の向上と、バッテリケースの小型化および軽量化とが相反しているという課題がある。
【０００５】
また、従来の背負い式電源システムでは、搬送用具とバッテリケースとが複数のねじによって連結されているため、搬送用具を交換するときや作業によって汚れた搬送用具を洗浄するときに、バッテリケースの着脱が煩雑になるという問題がある。
【０００６】
本発明は、前記した問題を解決し、背負い式電源システムの耐衝撃性能を高めつつ、バッテリケースを小型化および軽量化するとともに、バッテリケースを簡単に着脱することができる背負い式電源システムを提供することを課題とする。
【課題を解決するための手段】
【０００７】
前記課題を解決するため、本発明は、背負い式電源システムであって、バッテリを内蔵したバッテリケースと、前記バッテリケースを着脱自在な搬送用具と、を備えている。前記搬送用具は、背当てプレートと、前記背当てプレートに連結された肩ベルトと、前記背当てプレートに連結されたカバー部材と、を備えている。また、前記カバー部材は、前記バッテリケースの上部を覆う上部カバーと、前記バッテリケースの下部を覆う下部カバーと、を備えている。前記上部カバーおよび前記下部カバーは、弾性体によって形成され、前記上部カバーおよび前記下部カバーは、上下方向に間隔を空けて配置されている。
【０００８】
本発明の背負い式電源システムでは、搬送用具の背当てプレートを作業者の背中に当てて、肩ベルトを作業者の肩に掛けることで、作業者が大容量のバッテリを背負って持ち運ぶことができる。
【０００９】
本発明の背負い式電源システムでは、上下に分割したカバー部材によって、バッテリケースを効果的に保護しており、バッテリケースの強度を最小限にすることができる。したがって、背負い式電源システムの耐衝撃性能を高めつつ、バッテリケースを小型化および軽量化することができる。
また、バッテリケース全体をカバー部材で覆った場合に比べて、カバー部材の重量を低減するとともに、製造コストを低減することができる。
【００１０】
本発明の背負い式電源システムでは、上部カバーおよび下部カバーをバッテリケースの上部および下部に被せる構造であるため、搬送用具に対してバッテリケースを簡単に着脱することができる。
【００１１】
前記した背負い式電源システムにおいて、前記背当てプレートに落下防止用ベルトを設け、前記落下防止用ベルトを前記バッテリケースの上部に着脱自在に取り付けることが好ましい。
この構成では、バッテリケースから上部カバーを外したときや、上部カバーと下部カバーとを連結しているベルトが外れたときに、バッテリケースが地面に落下するのを防ぐことができる。
また、前記落下防止用ベルトが前記上部カバーに覆われているように構成することで、移動時や作業時に周囲の部材が落下防止用ベルトに引っ掛かるのを防ぐことが好ましい。
【００１２】
前記した背負い式電源システムにおいて、前記上部カバーに設けられた上部ベルトと、前記下部カバーに設けられた下部ベルトとを着脱自在に連結した場合には、前記バッテリケースの外面に、前記上部ベルトおよび前記下部ベルトが入り込む溝部を形成することが好ましい。
【００１３】
この構成では、上部ベルトおよび下部ベルトによって上部カバーと下部カバーとを連結することで、カバー部材によってバッテリケースを確実に保持することができる。
また、移動時や作業時に周囲の部材が上部ベルトおよび下部ベルトに引っ掛かるのを防ぐことができる。さらに、背負い式電源システムが地面に落下したときに、上部ベルトと下部ベルトとの連結部が破損するのを防ぐことができる。
【発明の効果】
【００１４】
本発明の背負い式電源システムでは、上下に分割されたカバー部材によってバッテリケースを保護することにより、背負い式電源システムの耐衝撃性能を高めつつ、バッテリケースを小型化および軽量化することができる。また、本発明の背負い式電源システムでは、カバー部材が上下に分割されているため、搬送用具に対してバッテリケースを簡単に着脱することができる。
【図面の簡単な説明】
【００１５】
【図１】本発明の実施形態に係る背負い式電源システムを後方右上から見た斜視図である。
【図２】本発明の実施形態に係る背負い式電源システムを後方左上から見た斜視図である。
【図３】本発明の実施形態に係るバッテリケースを示した図で、（ａ）は後方左上から見た斜視図、（ｂ）は背面図である。
【図４】本発明の実施形態に係るバッテリケースを示した図で、（ａ）は電源コードを右側に出した構成の斜視図、（ｂ）は電源コードを左側に出した構成の斜視図である。
【図５】本発明の実施形態に係る搬送用具を後方右上から見た斜視図である。
【図６】本発明の実施形態に係る落下防止用ベルトを示した図で、（ａ）は左側の落下防止用ベルトの斜視図、（ｂ）は右側の落下防止用ベルトの斜視図である。
【図７】本発明の実施形態に係る上部カバーを示した図で、（ａ）は電源コードを右側に出した構成の斜視図、（ｂ）は電源コードを左側に出した構成の斜視図である。
【図８】本発明の実施形態に係る収納ホルダを示した図で、（ａ）は右側から見た斜視図、（ｂ）は左側から見た斜視図、（ｃ）は下側から見た斜視図である。
【図９】本発明の実施形態に係る収納ホルダを示した図で、（ａ）は平面図、（ｂ）は折り畳んだ状態の平面図である。
【発明を実施するための形態】
【００１６】
本発明の実施形態について、適宜図面を参照しながら詳細に説明する。
以下の説明において、前後左右方向とは、本実施形態の背負い式電源システムを説明する上で便宜上設定したものであり、本発明の背負い式電源システムの構成を限定するものではない。
【００１７】
［背負い式電源システムの全体構成］
本実施形態の背負い式電源システム１は、図１に示すように、電動式のブロワや刈込機などの作業機（図示せず）に電力を供給するものであり、作業者が背負って持ち運ぶことができる。
【００１８】
背負い式電源システム１は、バッテリ２（図３（ｂ）参照）を内蔵したバッテリケース１０と、バッテリケース１０が取り付けられた搬送用具５０と、を備え、搬送用具５０に対してバッテリケース１０は着脱自在である。
【００１９】
［バッテリケースの構成］
バッテリケース１０は、図３（ｂ）に示すように、ケース本体２０と、ケース本体２０の上面２０ｃに設けられた端子ケース３０と、を備えている。
【００２０】
ケース本体２０は、図３（ａ）に示すように、プラスチック製の直方体の箱である。ケース本体２０内には、大容量のバッテリ２（図３（ｂ）参照）および制御回路（図示せず）が収納されている。
【００２１】
ケース本体２０の後面２０ｂの中央部には、上下方向に延びている溝部２１が形成されている。溝部２１は、図１に示すように、後記する搬送用具５０の上部ベルト６３ａおよび下部ベルト６３ｂが入り込む部位である。
【００２２】
ケース本体２０の左右の側面２０ｅ，２０ｅの高さ方向の中央部には、図３（ｂ）に示すように、内側に窪んだ窪み部２２，２２が形成されている。
右側の側面２０ｅの窪み部２２の底面には、図１に示すように、電力の供給および停止を切り替えるスイッチ２３と、電力の残量を表示する残量表示パネル２４と、が設けられている。
この構成では、スイッチ２３が側面２０ｅよりも内側に入り込んでいるため、移動時や作業時に周囲の部材がスイッチ２３に接触し難くなる。
【００２３】
ケース本体２０の左右の側面２０ｅ，２０ｅの上部には、図６（ａ）および（ｂ）に示すように、前後方向に延びている固定用溝２６，２６が形成されている。固定用溝２６の前後方向の略中央部には、後記する落下防止用ベルト５４が取り付けられる固定部２５が形成されている。
固定用溝２６および固定部２５は、図１および図２に示すように、後記する上部カバー６１をバッテリケース１０の上部に被せたときに、上部カバー６１によって覆われる領域に配置されている。
【００２４】
固定部２５は、図６（ａ）および（ｂ）に示すように、上下方向に延びている直線状の部位である。固定部２５は、上下の端部が固定用溝２６の上下の縁部に接続されている。固定部２５と固定用溝２６の底面とは離れており、固定部２５と固定用溝２６の底面との間に落下防止用ベルト５４を挿通可能となっている。
【００２５】
ケース本体２０の上面２０ｃには、図４（ａ）に示すように、ケース本体２０内の制御回路（図示せず）に対して電気的に接続された差し込み式のバッテリ側コネクタ２ａが配置されている。バッテリ側コネクタ２ａには、後記する電源コード４０のコード側コネクタ４２が連結されている。
【００２６】
ケース本体２０の上面２０ｃには、端子ケース３０が取り付けられている。端子ケース３０は、プラスチック製の容器であり、下面が開口している。
端子ケース３０は、複数のねじによってケース本体２０の上面２０ｃに固定されている。端子ケース３０によってケース本体２０の上面２０ｃが覆われている。端子ケース３０の内部には、バッテリ側コネクタ２ａおよびコード側コネクタ４２が収納されている。
端子ケース３０の前面３０ａの左右方向の中央部には、コード挿通穴３１が開口しており、コード挿通穴３１には、電源コード４０が挿通されている。
【００２７】
電源コード４０は、図１に示すように、一端が作業機（図示せず）に取り付けられ、他端はバッテリケース１０に取り付けられるコードであり、バッテリケース１０から作業機に送電するための電線である。
電源コード４０の一端には、作業機に取り付けられる端子アダプタ４１が設けられている。端子アダプタ４１は、作業機のバッテリ取付部に着脱自在である。
【００２８】
電源コード４０の他端には、図４（ａ）に示すように、差し込み式のコード側コネクタ４２が設けられている。
コード側コネクタ４２は、端子ケース３０内において、バッテリ側コネクタ２ａに連結されている。
なお、電源コード４０が破損した場合には、ケース本体２０から端子ケース３０を取り外し、バッテリ側コネクタ２ａからコード側コネクタ４２を取り外すことで、電源コード４０を交換することができる。
【００２９】
本実施形態の背負い式電源システム１では、バッテリ側コネクタ２ａおよびコード側コネクタ４２を端子ケース３０内に収納することで、両コネクタ２ａ，４２が防水や防塵されている。このようにすると、防水構造のコネクタを用いた場合に比べて、両コネクタ２ａ，４２を小型化することができるため、バッテリケース１０を小型化することができる。
【００３０】
端子ケース３０の前面３０ａの上縁部には、左右のガイド部３２，３２が前方に向けて突出している。左右のガイド部３２，３２は、コード挿通穴３１の左右両側に配置されている。
ガイド部３２の下面と、ケース本体２０の上面２０ｃの前端部との間には隙間が形成されている。この隙間には電源コード４０が挿入されている。つまり、ガイド部３２とケース本体２０の上面２０ｃとの間に電源コード４０が挟まれている。このようにして、ガイド部３２とケース本体２０の上面２０ｃとの間に電源コード４０が保持されている。
【００３１】
図４（ａ）の電源コード４０は、コード挿通穴３１から前方に延びており、ケース本体２０の上面２０ｃで右側に向けて折り曲げられ、上面２０ｃの前縁部に沿って電源コード４０が右方に延びている。つまり、図４（ａ）では、バッテリケース１０の右側に電源コード４０を出している。
このように、電源コード４０をバッテリケース１０の右側に出す場合には、右側のガイド部３２とケース本体２０の上面２０ｃとの間に電源コード４０を挟むことで、電源コード４０を右側に向けて案内することができる。
【００３２】
なお、図４（ｂ）に示すように、電源コード４０をバッテリケース１０の左側に出す場合には、左側のガイド部３２とケース本体２０の上面２０ｃとの間に電源コード４０を挟むことで、電源コード４０を左側に向けて案内することができる。
【００３３】
［搬送用具の構成］
搬送用具５０は、図５に示すように、背当てプレート５１と、背当てプレート５１に連結された左右の肩ベルト５２，５２および腰ベルト５３と、背当てプレート５１に連結されたカバー部材６０と、を備えている。
【００３４】
背当てプレート５１は、作業者が搬送用具５０を背負うときに、作業者の背中に重なる略長方形の板であり、プラスチック製の平板を布で覆ったものである。背当てプレート５１の高さおよび左右方向の幅は、バッテリケース１０（図１参照）の高さおよび左右方向の幅よりも僅かに大きく形成されている。
【００３５】
左右の肩ベルト５２，５２は、作業者が搬送用具５０を背負うときに、作業者の両肩に掛けるものである。肩ベルト５２の上端部は、背当てプレート５１の前面５１ａの上部に固定され、肩ベルト５２の下端部は、背当てプレート５１の前面５１ａの下部に固定されている。左右の肩ベルト５２，５２は、左右方向に間隔を空けて配置されている。
【００３６】
腰ベルト５３は、作業者が搬送用具５０を背負うときに、作業者の腰に巻き付けられるものである。腰ベルト５３は、背当てプレート５１の前面５１ａの下部に固定されている。腰ベルト５３には、差し込み式のバックル５３ａが設けられている。
【００３７】
背当てプレート５１の左右の縁部の上部には、図７（ａ）および（ｂ）に示すように、固定用ベルト５５，５５の基部が固定されている。
両固定用ベルト５５，５５の先端部は、後記するカバー部材６０の上部カバー６１に対して面ファスナーによって着脱自在に取り付けられる。
【００３８】
背当てプレート５１の左右の縁部の上部には、図６（ａ）および（ｂ）に示すように、落下防止用ベルト５４，５４の基部が固定されている。
落下防止用ベルト５４は、ケース本体２０の側面２０ｅに形成された固定部２５に着脱自在に取り付けられている。
【００３９】
落下防止用ベルト５４は、固定用溝２６に対して前方から後方に向けて入り込んでおり、固定部２５と固定用溝２６の底面との間に挿通されている。また、落下防止用ベルト５４は、固定部２５の後方で前方に向けて折り返されており、落下防止用ベルト５４の先端部は、落下防止用ベルト５４の基部に面ファスナーによって着脱自在に固定されている。このように、落下防止用ベルト５４は、固定部２５を巻き込んでいる。
なお、上部カバー６１（図１参照）をバッテリケース１０の上部に被せたときには、左右の落下防止用ベルト５４，５４は、上部カバー６１によって覆われる。
【００４０】
カバー部材６０は、図１に示すように、バッテリケース１０を保持するものであり、バッテリケース１０の上部を覆う上部カバー６１と、バッテリケース１０の下部を覆う下部カバー６２と、を備えている。
【００４１】
下部カバー６２は、図５に示すように、背当てプレート５１の後面５１ｂの下部に固定されている。下部カバー６２は、底板６２ａと、底板６２ａの左右の縁部に立ち上げられた側板６２ｂ，６２ｂと、底板６２ａの後縁部に立ち上げられた後板６２ｃと、を有している。
【００４２】
下部カバー６２の底板６２ａ，側板６２ｂおよび後板６２ｃは、発泡ポリエチレンなどの弾性体の板を布で覆うことで形成されている。したがって、下部カバー６２全体が弾性を有する柔軟な部材である。そして、下部カバー６２は、衝撃を吸収することができる緩衝部材である。
【００４３】
下部カバー６２の底板６２ａおよび両側板６２ｂ，６２ｂの前縁部は、背当てプレート５１の後面５１ｂに固定されている。
そして、下部カバー６２および背当てプレート５１に囲まれた収容空間が形成されている。この収容空間は、上面が開口しており、バッテリケース１０（図１参照）の下部が嵌め合わされる。
【００４４】
上部カバー６１は、背当てプレート５１の後面５１ｂの上部に固定されている。上部カバー６１は、頂板６１ａと、頂板６１ａの左右の縁部に垂れ下げられた側板６１ｂ，６１ｂと、頂板６１ａの後縁部に垂れ下げられた後板６１ｃと、を有している。
上部カバー６１は、下部カバー６２と同様に、発泡ポリエチレンなどの弾性体を用いて形成された緩衝部材である。
【００４５】
上部カバー６１の頂板６１ａの前縁部は、背当てプレート５１の後面５１ｂに固定されている。
上部カバー６１の左右の側板６１ｂ，６１ｂの前縁部は、背当てプレート５１の後面５１ｂに当接している。両側板６１ｂ，６１ｂの外面には、図７（ａ）および（ｂ）に示すように、左右の固定用ベルト５５，５５が面ファスナーによって着脱自在に取り付けられている。これにより、上部カバー６１の左右の側板６１ｂ，６１ｂは、左右の固定用ベルト５５，５５によって背当てプレート５１に固定されている。
そして、図５に示すように、上部カバー６１および背当てプレート５１に囲まれた収容空間が形成されている。この収容空間は、下面が開口しており、バッテリケース１０（図１参照）の上部が嵌め合わされる。
【００４６】
上部カバー６１の両側板６１ｂ，６１ｂから両固定用ベルト５５，５５（図７（ａ）および（ｂ）参照）を取り外すと、頂板６１ａの前縁部のみが背当てプレート５１に取り付けられた状態となる。これにより、背当てプレート５１に対して上部カバー６１を上向きに傾動可能となる。そして、背当てプレート５１に対して上部カバー６１を上向きに傾動させると、両側板６１ｂ，６１ｂの前縁部が背当てプレートの後面から離れる。
このようにして、背当てプレート５１に対して上部カバー６１を上下方向に傾動させることで、上部カバー６１をバッテリケース１０の上部に着脱させることができる。
【００４７】
図７（ａ）および（ｂ）に示すように、上部カバー６１の両側板６１ｂ，６１ｂの前縁部と、背当てプレート５１の後面５１ｂとの間には、左右のガイド穴６１ｄ，６１ｄが形成されている。ガイド穴６１ｄは、電源コード４０が挿通される部位である。
ガイド穴６１ｄは、固定用ベルト５５の上方に形成されている。ガイド穴６１ｄは、上部カバー６１、背当てプレート５１の後面５１ｂおよび固定用ベルト５５の上縁部によって囲まれた開口部である。
【００４８】
上部カバー６１の両側板６１ｂ，６１ｂから両固定用ベルト５５，５５を取り外して、上部カバー６１を上向きに傾動させると、両側板６１ｂ，６１ｂの前縁部が背当てプレートの後面から離れて、両ガイド穴６１ｄ，６１ｄが開かれた状態となる。このようにして、ガイド穴６１ｄに対して電源コード４０を着脱させることができる。
【００４９】
電源コード４０をバッテリケース１０の右側に出す場合には、図７（ａ）に示すように、右側のガイド穴６１ｄに電源コード４０を挿通させる。また、電源コード４０をバッテリケース１０の左側に出す場合には、図７（ｂ）に示すように、左側のガイド穴６１ｄに電源コード４０を挿通させる。
【００５０】
本実施形態のカバー部材６０は、図１に示すように、上部カバー６１および下部カバー６２に分割されており、上部カバー６１および下部カバー６２は、上下方向に間隔を空けて配置されている。したがって、上部カバー６１と下部カバー６２との間には、バッテリケース１０が露出している。上部カバー６１と下部カバー６２との間には、バッテリケース１０のスイッチ２３および残量表示パネル２４が露出している。
【００５１】
上部カバー６１の後板６１ｃの下縁部には、下方に向けて延びている上部ベルト６３ａが設けられている。上部ベルト６３ａは、後板６１ｃの左右方向の中央部に設けられている。
下部カバー６２の後板６２ｃの上縁部には、上方に向けて延びている下部ベルト６３ｂが設けられている。下部ベルト６３ｂは、後板６２ｃの左右方向の中央部に設けられている。
上部ベルト６３ａの下端部と、下部ベルト６３ｂの上端部とは、面ファスナーによって着脱自在に連結されている。
上部ベルト６３ａおよび下部ベルト６３ｂは、バッテリケース１０のケース本体２０の後面２０ｂに形成された溝部２１に入り込んでいる。
【００５２】
［搬送用具へのバッテリケースの着脱方法］
次に、本実施形態の背負い式電源システム１において、図１に示すように、搬送用具５０にバッテリケース１０を取り付ける手順について説明する。
まず、作業者が作業機を持ったときに、作業者に対して作業機が配置される左右の側に合わせて、バッテリケース１０から電源コード４０を出す方向を定める。
そして、図４（ａ）に示すように、電源コード４０をバッテリケース１０の右側に出す場合には、右側のガイド部３２とケース本体２０の上面２０ｃとの間に電源コード４０を挟んで電源コード４０を右側に向けて案内する。
また、図４（ｂ）に示すように、電源コード４０をバッテリケース１０の左側に出す場合には、左側のガイド部３２とケース本体２０の上面２０ｃとの間に電源コード４０を挟んで電源コード４０を左側に向けて案内する。
【００５３】
続いて、上部ベルト６３ａと下部ベルト６３ｂとの連結部を切り離した状態で、下部カバー６２内にバッテリケース１０の下部を挿入する。
また、図６（ａ）および（ｂ）に示すように、左右の落下防止用ベルト５４，５４をバッテリケース１０の左右の固定部２５，２５に取り付ける。
なお、図６（ａ）および（ｂ）では、上部カバー６１（図１参照）の図示を省略しているが、落下防止用ベルト５４をバッテリケース１０の固定部２５に取り付けるときには、上部カバー６１を上向きに傾けておく。
【００５４】
さらに、図７（ａ）および（ｂ）に示すように、上部カバー６１をバッテリケース１０の上部に被せて、左右の固定用ベルト５５，５５を上部カバー６１の左右の側板６１ｂ，６１ｂに取り付ける。
このとき、電源コード４０をバッテリケース１０の右側に出す場合には、図７（ａ）に示すように、電源コード４０を右側のガイド穴６１ｄに挿通させる。
また、電源コード４０をバッテリケース１０の左側に出す場合には、図７（ｂ）に示すように、電源コード４０を左側のガイド穴６１ｄに挿通させる。
【００５５】
図１に示すように、上部カバー６１および下部カバー６２にバッテリケース１０を取り付けた後に、上部ベルト６３ａと下部ベルト６３ｂとを連結すると、搬送用具５０にバッテリケース１０が保持された状態となる。
【００５６】
そして、バッテリケース１０が取り付けられた搬送用具５０の背当てプレート５１を作業者の背中に当てて、左右の肩ベルト５２，５２を作業者の両肩に掛けることで、作業者が背負い式電源システム１を背負うことができる。このようにして、作業者が大容量のバッテリ２（図３参照）を持ち運ぶことができる。
【００５７】
搬送用具５０にバッテリケース１０を取り付けた状態で、電源コード４０を出す方向を変更する場合には、図７（ａ）および（ｂ）に示す左右の固定用ベルト５５，５５を上部カバー６１から取り外す。
そして、上部カバー６１を上向きに傾動させると、バッテリケース１０の上部から上部カバー６１を取り外すことができる。これにより、図４（ａ）および（ｂ）に示すように、端子ケース３０および電源コード４０が露出した状態となるため、電源コード４０の向きを変更することができる。
【００５８】
なお、バッテリケース１０の上部から上部カバー６１（図１参照）を取り外したときに、図６（ａ）および（ｂ）に示すように、バッテリケース１０の上部は、左右の落下防止用ベルト５４，５４によって背当てプレート５１に支持されているため、バッテリケース１０が搬送用具５０から落下するのを防ぐことができる。
【００５９】
このような背負い式電源システム１において、搬送用具５０からバッテリケース１０を取り外す場合には、図７（ａ）および（ｂ）に示す左右の固定用ベルト５５，５５を左右の固定部２５，２５から取り外し、バッテリケース１０の上部から上部カバー６１を取り外す。
さらに、図６（ａ）および（ｂ）に示す落下防止用ベルト５４，５４をバッテリケース１０の左右の固定部２５，２５から取り外すと、バッテリケース１０を下部カバー６２から取り外すことができる。このようにして、搬送用具５０からバッテリケース１０を取り外すことができる。
【００６０】
［収納ホルダの構成］
本実施形態の背負い式電源システム１では、図８（ａ）および（ｂ）に示すように、腰ベルト５３に対して、収納ホルダ７０を取り付けることができる。
収納ホルダ７０は、作業機から取り外した端子アダプタ４１（図１参照）を収納するための容器である。
【００６１】
収納ホルダ７０は、角筒状の胴部７１と、胴部７１に取り付けられた第一ベルト７５および第二ベルト７６と、を備えている。
胴部７１は、左右一対の第一側板７１ａ，７１ａと、前後一対の第二側板７１ｂ，７１ｂと、を備えている。第一側板７１ａおよび第二側板７１ｂは、発泡ポリエチレンなどの弾性体の板を布で覆うことで形成されている。
第二側板７１ｂの左右方向の中央部には、上下方向に延びている折れ線７１ｃが形成されている。両第二側板７１ｂ，７１ｂは、図９（ｂ）に示すように、左右方向に折り畳み自在となるように、左右方向に二分割された部材によって構成されている。つまり、胴部７１全体が左右方向に折り畳み自在である。
【００６２】
第一ベルト７５は、図８（ｂ）および（ｃ）に示すように、収納ホルダ７０の底部７２および取付部７４を構成する布製の帯状部材である。
第一ベルト７５は、右側の第一側板７１ａの外面の下端部、胴部７１の下面、左側の第一側板７１ａの外面、左側の第一側板７１ａの内面の上端部に亘って延設されている。
【００６３】
第一ベルト７５は、右側の第一側板７１ａの下端部と、左側の第一側板７１ａの外面の下端部に縫合されている。
これにより、図８（ｃ）に示すように、胴部７１の下面の左右の縁部に亘って第一ベルト７５が架け渡されており、第一ベルト７５によって底部７２が形成されている。
第一ベルト７５の前後方向の幅は、前後の第二側板７１ｂ，７１ｂの内面の間隔よりも小さく形成されている。したがって、底部７２の前後の縁部と、前後の第二側板７１ｂ，７１ｂの内面との間には隙間が形成されている。このように、収納ホルダ７０の下面（底面）には、前後に開口部７０ｂ，７０ｂが形成されている。
【００６４】
第一ベルト７５の上端部は、図８（ｂ）に示すように、左側（腰ベルト５３側）の第一側板７１ａの内面の上端部に面ファスナーによって着脱自在に取り付けられている。
これにより、左側の第一側板７１ａの外面には、第一ベルト７５によって取付部７４が形成されている。
取付部７４において、第一ベルト７５と左側の第一側板７１ａの外面との間に腰ベルト５３を挿通させることで、腰ベルト５３に収納ホルダ７０を取り付けることができる。このようにして、腰ベルト５３に収納ホルダ７０を取り付けると、収納ホルダ７０が腰ベルト５３の延長方向にスライド自在となる。
【００６５】
第二ベルト７６は、図８（ａ）に示すように、収納ホルダ７０の蓋部７３を構成する布製の帯状部材である。
第二ベルト７６は、左端部が第一ベルト７５の上端部に縫合され、右端部は、図８（ａ）に示すように、右側の第一側板７１ａの外面の上部に第一面ファスナー７６ａによって着脱自在に取り付けられている。
これにより、胴部７１の上面の左右の縁部に亘って第二ベルト７６が架け渡されており、第二ベルト７６によって蓋部７３が形成されている。
第二ベルト７６の前後方向の幅は、第一ベルト７５の前後方向の幅と同じ大きさであり、前後の第二側板７１ｂ，７１ｂの内面の間隔よりも小さく形成されている。したがって、図９（ａ）に示すように、蓋部７３の前後の縁部と、前後の第二側板７１ｂ，７１ｂの内面との間には隙間が形成されている。このように、収納ホルダ７０の上面には、前後に開口部７０ａ，７０ａが形成されている。
また、第二ベルト７６において、左右の第一側板７１ａ，７１ａの間に対応する位置の下面には、第二面ファスナー７６ｂが設けられている。
【００６６】
収納ホルダ７０に端子アダプタ４１（図１参照）を収納するときには、第二ベルト７６の第一面ファスナー７６ａを第一側板７１ａから取り外して、蓋部７３を開くことで、胴部７１の上面全体を開口させる。
そして、端子アダプタ４１を胴部７１内に挿入した後に、第二ベルト７６の第一面ファスナー７６ａを第一側板７１ａの外面に取り付けて、蓋部７３を閉じることで、胴部７１の上面を塞ぐことができる。このとき、蓋部７３と第二側板７１ｂとの間の開口部７０ａに電源コード４０（図１参照）を挿通させる。
【００６７】
なお、収納ホルダ７０の底部に切断片や金属片などの塵や水滴が入っていると、端子アダプタ４１（図１参照）の金属端子に塵や水滴が付着して、短絡や接触不良が生じる可能性がある。
本実施形態の収納ホルダ７０では、図８（ｃ）に示すように、胴部７１の下面に開口部７０ｂが形成されているため、収納ホルダ７０内に塵や水滴が溜まるのを防ぐことができる。
【００６８】
作業時に収納ホルダ７０を使用しないときには、第二ベルト７６の第一面ファスナー７６ａを胴部７１から取り外した後に、図９（ｂ）に示すように、胴部７１を左右方向に折り畳む。さらに、第二ベルト７６の第二面ファスナー７６ｂを第一側板７１ａの外面に取り付けることで、胴部７１を折り畳んだ状態に保持することができる。また、胴部７１を折り畳むと、底部７２（図８（ｃ）参照）も左右方向に折り畳まれる。このようにして、胴部７１をコンパクトにすることができる。
さらに、収納ホルダ７０を腰ベルト５３の延長方向に移動させることができる。これにより、作業時に収納ホルダ７０が作業者の手に接触したり、周囲の部材に接触したりするのを防ぐことができる。
【００６９】
なお、本実施形態では、図８（ａ）に示すように、腰ベルト５３の右側部に収納ホルダ７０が取り付けられているが、同様にして、腰ベルト５３の左側部に収納ホルダ７０を取り付けることもできる。
【００７０】
［背負い式電源システムの作用効果］
以上のような本実施形態の背負い式電源システム１では、図１に示すように、バッテリケース１０の上部および下部が弾性体のカバー部材６０によって覆われているため、背負い式電源システム１が地面に落下したときの衝撃からバッテリケース１０を保護することができる。これにより、本実施形態の背負い式電源システム１では、バッテリケース１０の強度を最小限にすることができる。
したがって、本実施形態の背負い式電源システム１の耐衝撃性能を高めつつ、バッテリケース１０を小型化および軽量化することができる。
【００７１】
本実施形態の背負い式電源システム１では、カバー部材６０が上下に分割されており、背負い式電源システム１が地面に落下したときに、バッテリケース１０が受ける衝撃が大きくなる部位が効果的に保護されている。この構成では、バッテリケース１０全体をカバー部材６０によって覆った場合に比べて、カバー部材６０の重量を低減するとともに、製造コストを低減することができる。
【００７２】
本実施形態の背負い式電源システム１では、弾性体である上部カバー６１および下部カバー６２をバッテリケース１０の上部および下部に被せる構造であるため、搬送用具５０にバッテリケース１０を簡単に着脱することができる。
【００７３】
本実施形態の背負い式電源システム１では、図６（ａ）および（ｂ）に示すように、左右の落下防止用ベルト５４，５４がバッテリケース１０の上部に取り付けられているため、図１に示すバッテリケース１０から上部カバー６１を外したときや、上部ベルト６３ａと下部ベルト６３ｂとの連結が外れたときに、バッテリケース１０が不用意に地面に落下するのを防ぐことができる。
また、バッテリケース１０の上部に上部カバー６１を被せると、落下防止用ベルト５４（図６（ａ）および（ｂ）参照）は、上部カバー６１に覆われるため、移動時や作業時に周囲の部材が落下防止用ベルト５４に引っ掛かるのを防ぐことができる。
【００７４】
本実施形態の背負い式電源システム１では、バッテリケース１０の外面の溝部２１に上部ベルト６３ａおよび下部ベルト６３ｂが入り込んでいるため、移動時や作業時に周囲の部材が上部ベルト６３ａおよび下部ベルト６３ｂに引っ掛かるのを防ぐことができる。
また、背負い式電源システム１が地面に落下したときに、上部ベルト６３ａと下部ベルト６３ｂとの連結部が破損するのを防ぐことができる。
【００７５】
本実施形態の背負い式電源システム１では、上部カバー６１が弾性体であるため、仮に地面に落下した場合でも、上部カバー６１によって端子カバー３０（図３（ａ）参照）および電源コード４０への衝撃を抑えることができる。したがって、端子カバー３０および電源コード４０が損傷するのを防ぐことができる。
【００７６】
本実施形態の背負い式電源システム１では、図６（ａ）および（ｂ）に示すように、バッテリケース１０から上部カバー６１（図１参照）を取り外すと、端子ケース３０が露出する。そして、一方のガイド部３２とケース本体２０の上面２０ｃとの間から電源コード４０を取り外し、他方のガイド部３２とケース本体２０の上面２０ｃとの間に電源コード４０を挟んだ後に、バッテリケース１０に上部カバー６１を被せる。このようにして、工具を使用しなくても、バッテリケース１０から電源コード４０を出す方向を簡単に変更することができる。
【００７７】
本実施形態の背負い式電源システム１では、図７（ａ）および（ｂ）に示すように、上部カバー６１の内部からガイド穴６１ｄを通じて外部に電源コード４０を直線状に延ばすことができるため、上部カバー６１から電源コード４０を出し易くなる。
また、上部カバー６１を上向きに傾動させると、両側板６１ｂ，６１ｂの前縁部が背当てプレート５１の後面５１ｂから離れて、ガイド穴６１ｄが開かれるため、ガイド穴６１ｄに対して電源コード４０を簡単に着脱させることができる。
【００７８】
本実施形態の背負い式電源システム１のガイド穴６１ｄは、上部カバー６１、背当てプレート５１および固定用ベルト５５によって囲まれた開口部であるため、ガイド穴６１ｄに挿通させた電源コード４０を安定させることができる。
【００７９】
［変形例］
以上、本発明の実施形態について説明したが、本発明は前記実施形態に限定されることなく、その趣旨を逸脱しない範囲で適宜に変更が可能である。
【００８０】
例えば、バッテリケース１０の形状は限定されるものではなく、円柱状など各種の形状のバッテリケースを用いることができる。この場合には、各種の形状のバッテリケースの上部および下部の形状に合わせて、上部カバーおよび下部カバーが形成される。
【００８１】
本実施形態の背負い式電源システム１では、図１に示すように、バッテリケース１０の上部および下部が上部カバー６１および下部カバー６２によって覆われている。そして、上部カバー６１および下部カバー６２によってバッテリケース１０を覆う領域は限定されるものではない。上部カバー６１および下部カバー６２の高さや厚さは、衝撃を吸収する性能やバッテリケース１０への着脱し易さを考慮して設定される。
【００８２】
本実施形態の背負い式電源システム１では、左右の肩ベルト５２，５２の他に腰ベルト５３が設けられているが、腰ベルト５３を設けなくてもよい。
【００８３】
本実施形態では、図４（ａ）に示すように、端子ケース３０の前面３０ａにコード挿通穴３１および両ガイド部３２，３２が形成されているが、端子ケース３０の後面にコード挿通穴３１および両ガイド部３２，３２を形成してもよい。
【００８４】
本実施形態では、図４（ａ）に示すように、端子ケース３０内に差し込み式のコネクタ２ａ，４２が収納されているが、バスバーなどの端子を用いて、バッテリケース１０側の制御回路と電源コード４０とを電気的に接続してもよい。
【符号の説明】
【００８５】
１      背負い式電源システム
２      バッテリ
２ａ    バッテリ側コネクタ
１０    バッテリケース
２０    ケース本体
２１    溝部
２２    窪み部
２３    スイッチ
２４    残量表示パネル
２５    固定部
２６    固定用溝
３０    端子ケース
３１    コード挿通穴
３２    ガイド部
４０    電源コード
４１    端子アダプタ
４２    コード側コネクタ
５０    搬送用具
５１    背当てプレート
５２    肩ベルト
５３    腰ベルト
５４    落下防止用ベルト
５５    固定用ベルト
６０    カバー部材
６１    上部カバー
６１ｄ  ガイド穴
６２    下部カバー
６３ａ  上部ベルト
６３ｂ  下部ベルト
７０    収納ホルダ
７１    胴部
７１ａ  第一側板
７１ｂ  第二側板
７２    底部
７３    蓋部
７４    取付部
７５    第一ベルト
７６    第二ベルト
【図１】
2018063789.tif 000003
【図２】
2018063789.tif 000004
【図３】
2018063789.tif 000005
【図４】
2018063789.tif 000006
【図５】
2018063789.tif 000007
【図６】
2018063789.tif 000008
【図７】
2018063789.tif 000009
【図８】
2018063789.tif 000010
【図９】
2018063789.tif 000011